(57)【要約】【課題】保管場所を小さくでき、リユース型とディスポーザブル型の交換作業を省力化できる吸引ボトルを提供する。【解決手段】容器本体と、容器本体に脱着自在な蓋体と、蓋体に貫通形成され容器本体内部のエアを吸引するエア吸引チューブが接続されるエア吸引口とを備え、蓋体として、廃棄物吸引チューブを接続する廃棄物吸引口、及びエア吸引口が貫通形成された、液状廃棄物を容器本体内に直接収容する際に使用されるリユース型の蓋体と、廃棄物吸引チューブ接続端部が設けられた気密袋状の廃棄物収容バッグが脱着可能に形成されているとともに、廃棄物吸引チューブ接続端部が挿通する廃棄物吸引チューブ接続端部挿通部が形設され、かつエア吸引口が貫通形成された、液状廃棄物を廃棄物収容バッグ内に収容する際に使用されるディスポーザブル型の蓋体との交換可能な２種の蓋体を備え、各蓋体は、容器本体に固定が可能な共通の固定構造を備えた。【選択図】図１
2015216994.tif 000002
【特許請求の範囲】
【請求項１】
上端部が開口した有底筒状に形成された、液状廃棄物を収容する容器本体と、
前記容器本体の上端部に脱着自在に設けられ、前記容器本体の上端部開口を密閉することが可能な蓋体と、
前記蓋体に貫通形成されており、容器本体内部のエアを吸引するエア吸引チューブが接続されるエア吸引口と、を備えた、液状廃棄物を吸引し収容するための医療用の吸引ボトルであって、
前記蓋体として、
廃棄物吸引チューブを接続する廃棄物吸引口、及び前記エア吸引口が貫通形成された、液状廃棄物を前記容器本体内に直接収容する際に使用されるリユース型の蓋体と、
廃棄物吸引口を有する廃棄物吸引チューブ接続端部が設けられた気密袋状の廃棄物収容バッグが脱着可能に形成されているとともに、前記廃棄物吸引チューブ接続端部が挿通する廃棄物吸引チューブ接続端部挿通部が形設され、かつ前記エア吸引口が貫通形成された、液状廃棄物を前記廃棄物収容バッグ内に収容する際に使用されるディスポーザブル型の蓋体と、の交換可能な２種の蓋体を備え、
前記各蓋体は、前記容器本体に固定が可能な共通の固定構造を備えていることを特徴とする吸引ボトル。
【請求項２】
前記固定構造は、前記蓋体が前記容器本体に対して特定の方向を向いた状態でのみ嵌合固定される形状に形成されていることを特徴とする請求項１記載の医療用吸引ボトル。
【請求項３】
前記廃棄物吸引チューブ接続端部に着脱可能に取り付けられた可撓性の廃棄物吸引チューブと、
前記廃棄物吸引チューブに着脱可能に取り付けられ、前記廃棄物吸引チューブを挟持する湾曲した弾性部材からなる第１及び第２の挟持片が接合されてなるチューブクリップと、を備え、
リユース型の蓋体は、
前記容器本体に嵌合固定される冠着部と、
前記冠着部の天板に開口された装着部に着脱自在に取り付けられ、前記廃棄物吸引口及び前記エア吸引口が貫通形成されたリユースアダプタと、
前記リユースアダプタの裏面に突設されたリユースアダプタ壁掛用フック部材と、
前記リユースアダプタの表面に突設されたチューブ巻掛用フック部材と、を備えたことを特徴とする請求項１又は２記載の医療用吸引ボトル。
【請求項４】
前記ディスポーザブル型の蓋体の側面に、前記廃棄物吸引チューブを垂直向きに掛止するチューブクリップを、少なくとも２つ備えていることを特徴とする請求項１又は２記載の医療用吸引ボトル。
【請求項５】
前記容器本体の背面に突設された容器壁掛用フック部材を備え、
前記容器本体は、上部は円筒状に形成され、中部から下部にかけては、左右側面が平面状且つ前後側面が円弧面状の両欠円筒状に形成されていることを特徴とする請求項１乃至４の何れか一記載の医療用吸引ボトル。
【発明の詳細な説明】
【技術分野】
【０００１】
本発明は、医療用吸引システムにおいて使用される、吸引された痰などの液状の廃棄物を捕獲し貯留するための吸引ボトルに関する。
【背景技術】
【０００２】
医療現場においては、患者が痰を詰まらせた場合などにそれを吸引除去するための吸引システムが備えられている。吸引システムにおいては、真空ポンプなどによって負圧に保たれた負圧管の末端にレギュレータが備えられており、レギュレータは、病床の枕元付近の壁に配設される。そして、このレギュレータ（吸引圧力調整器）に吸引チューブを接続し、吸引チューブの先端から痰などの液状の廃棄物を吸引する。吸引チューブの途中には、吸引ボトルが配設され、吸引チューブに吸引された液状廃棄物はこの吸引ボトルで捕獲され貯留される。
【０００３】
従来の吸引ボトルとしては、例えば、特許文献１−８，非特許文献１−４に記載のものが公知である。これら従来の吸引ボトルは、大別すると、吸引ボトルの円筒状容器内に直接液状廃棄物を貯留するリユース型（特許文献１−４，非特許文献１−２）と、吸引ボトルの円筒状容器内に使い捨てバッグ（以下「廃棄物収容バッグ」）を収容し、廃棄物収容バッグ内に液状廃棄物を貯留するディスポーザブル型（特許文献５−８，非特許文献３−４）に分類される。
【０００４】
リユース型（特許文献１−４，非特許文献１−２）は、下端が盲端となった円筒形の貯留容器の上部開口端に、エア吸引ポート及び廃棄物吸引ポートを備えた蓋体が密嵌されており、エア吸引ポートはレギュレータにエアチューブで接続され、廃棄物吸引ポートには廃棄物吸引チューブが接続される。廃棄物吸引ポートの貯留容器内側出口には、フロート弁が備えられており、貯留容器内に一定量の液状廃棄物が溜まると、それ以上吸引できないようにされている。貯留容器内に液状廃棄物が溜まると、蓋体を取り外して貯留容器内の液状廃棄物を捨てて内部を洗浄した後、再び蓋体を取り付けて再使用する。
【０００５】
一方、ディスポーザブル型（特許文献５−８，非特許文献３−４）は、有底筒状の真空容器内に、廃棄物吸引ポートとエア抜き弁を備えた廃棄物収容バッグを収容し、廃棄物吸引ポート先端の管継手（廃棄物吸引チューブ接続端部）部分が真空容器外に出るようにして、真空容器の上部開口端に、エア吸引ポートを備えた蓋体が密嵌される。このとき、廃棄物収容バッグのエア抜き弁は、真空容器内に連通するように設置される。エア吸引ポートはレギュレータにエアチューブで接続され、廃棄物吸引ポートには廃棄物吸引チューブが接続される。エアチューブから真空容器内の空気を真空吸引すると、真空容器内が負圧となり、エア抜き弁を介して廃棄物収容バッグ内の空気が排出される。これにより、廃棄物吸引チューブの先端から液状廃棄物が吸引されて廃棄物収容バッグ内に貯留される。廃棄物収容バッグ内が液状廃棄物で一杯になると、廃棄物収容バッグを新しいものに交換し、使い終わった廃棄物収容バッグはそのまま廃棄する。
【先行技術文献】
【特許文献】
【０００６】
【特許文献１】特開昭５７−８６３５７号公報
【特許文献２】特開昭５８−１４５８号公報
【特許文献３】特開２０１１−１４７４７７号公報
【特許文献４】実用新案登録第３０６７９０５号明細書
【特許文献５】国際公開ＷＯ２００４／１１０５２２号パンフレット
【特許文献６】特開平８−１１２３４４号公報
【特許文献７】特開昭５８−１０９０６１号公報
【特許文献８】意匠登録第１２１２７０６号公報
【非特許文献】
【０００７】
【非特許文献１】「壁掛式吸引器  ＦＡ型」（ＪＭＤＭコード：３６７７８０００），［online］，２００９年８月１日，独立行政法人医薬品医療機器総合機構，医薬品医療機器情報提供ＨＰ，［平成２６年５月１日検索］，インターネット、＜URL：http://www.info.pmda.go.jp/ygo/pack/40B2X00001000010_A_01_06/＞
【非特許文献２】株式会社ＡＭＣ，「減圧器付吸引器（ＡＶ−５）」，［online］，［平成２６年３月１０日検索］，インターネット，＜URL：http://www.amc-svc.jp/product/product23.html＞
【非特許文献３】エア・ウォーター防災株式会社，「ディスポーザブル壁掛式吸引器」（医療機器届出番号：27B1X00056014002）［online］，［平成２６年３月１０日検索］，インターネット，＜URL：http://www.awb.co.jp/medical/machine/index.html＞
【非特許文献４】大研医器株式会社，「クーデックキューインポット」（ＪＭＤＮコード：３６７７８０００）［online］，２０１１年１２月１９日，独立行政法人医薬品医療機器総合機構，医薬品医療機器情報提供ＨＰ，［平成２６年５月１日検索］，インターネット，＜URL：http://www.daiken-iki.co.jp/iryo/trs/20130306_KYUIN.pdf＞
【発明の概要】
【発明が解決しようとする課題】
【０００８】
上記従来の吸引ボトルは、リユース型とディスポーザブル型はそれぞれ別々の製品として製造され提供されていた。そのため、医療現場において、患者によってリユース型とディスポーザブル型とを使い分ける必要がある場合には、リユース型とディスポーザブル型の双方の吸引ボトルを、必要となる可能性のある数だけ購入し備蓄しておく必要があり、保管に必要な場所が大きくなり不便であった。
【０００９】
また、リユース型からディスポーザブル型へ切り替える場合、又はその逆の場合には、吸引ボトル全体を交換する必要があるため、交換作業に手間がかかり不便であった。
【００１０】
そこで、本発明の目的は、従来よりも保管に必要な場所を小さくすることができ、また従来と比べリユース型からディスポーザブル型への交換及びその逆の交換に要する作業と費用を削減できる吸引ボトルを提供することにある。
【課題を解決するための手段】
【００１１】
本発明に係る吸引ボトルの第１の構成は、上端部が開口した有底筒状に形成された、液状廃棄物を収容する容器本体と、
前記容器本体の上端部に脱着自在に設けられ、前記容器本体の上端部開口を密閉することが可能な蓋体と、
前記蓋体に貫通形成されており、容器本体内部のエアを吸引するエア吸引チューブが接続されるエア吸引口と、を備えた、液状廃棄物を吸引し収容するための医療用吸引ボトルであって、
前記蓋体として、
廃棄物吸引チューブを接続する廃棄物吸引口、及び前記エア吸引口が貫通形成された、液状廃棄物を前記容器本体内に直接収容する際に使用されるリユース型の蓋体と、
廃棄物吸引口を有する廃棄物吸引チューブ接続端部が設けられた気密袋状の廃棄物収容バッグが脱着可能に形成されているとともに、前記廃棄物吸引チューブ接続端部が挿通する廃棄物吸引チューブ接続端部挿通部が形設され、かつ前記エア吸引口が貫通形成された、液状廃棄物を前記廃棄物収容バッグ内に収容する際に使用されるディスポーザブル型の蓋体と、の交換可能な２種の蓋体を備え、
前記各蓋体は、前記容器本体に固定が可能な共通の固定構造を備えていることを特徴とする。
【００１２】
この構成によれば、リユース型とディスポーザブル型とで容器本体は共通化されているため、容器本体にリユース型の蓋体を取り付けた場合には、リユース型の吸引ボトルとして使用することができ、一方、容器本体にディスポーザブル型の蓋体を取り付けた場合には、ディスポーザブル型の吸引ボトルとして使用することができる。従って、リユース型とディスポーザブル型の双方の蓋体のみを、必要となる可能性のある数だけ購入・備蓄し、容器本体はその半数だけ購入・備蓄しておけばよい。吸引ボトルにおいて、容器本体が最も体積が大きく保管場所の多くとるため、容器本体の備蓄数を半数とすることができることによって、全体の保管場所の容積を大幅に削減することが可能となる。
【００１３】
また、リユース型とディスポーザブル型とで容器本体は共通化されているため、ディスポーザブル型への交換及びその逆の交換をする場合には、蓋体のみ交換すればよく、交換に要する作業を省力化できる。
【００１４】
本発明に係る吸引ボトルの第２の構成は、前記第１の構成に於いて、前記固定構造は、前記蓋体が前記容器本体に対して特定の方向を向いた状態でのみ嵌合固定される形状に形成されていることを特徴とする。
【００１５】
この構成により、容器本体に蓋体を取り付ける際に、誤って反対向きに取り付けるといった作業ミスを防止することができる。
【００１６】
本発明に係る吸引ボトルの第３の構成は、前記第１又は２の構成に於いて、前記廃棄物吸引チューブ接続端部に着脱可能に取り付けられた可撓性の廃棄物吸引チューブと、
前記廃棄物吸引チューブに着脱可能に取り付けられ、前記廃棄物吸引チューブを挟持する湾曲した弾性部材からなる第１及び第２の挟持片が接合されてなるチューブクリップと、を備え、
リユース型の蓋体は、
前記容器本体に嵌合固定される冠着部と、
前記天板に開口された装着部に着脱自在に取り付けられ、前記廃棄物吸引口及び前記エア吸引口が貫通形成されたリユースアダプタと、
前記リユースアダプタの裏面に突設されたリユースアダプタ壁掛用フック部材と、
前記リユースアダプタの表面に突設されたチューブ巻掛用フック部材と、を備えたことを特徴とする。
【００１７】
この構成によれば、リユース型の吸引ボトルとして使用する場合において、容器本体内の液状廃棄物を捨てて内部を洗浄する作業を行う際、廃棄物吸引チューブをリユース型の蓋体の廃棄物吸引口から取り外す必要があるが、廃棄物吸引口から取り外した廃棄物吸引チューブの端部をチューブクリップにより廃棄物吸引チューブの他の部分に止めて、ゆるく捲いた状態で壁のフックなどに掛けておくことができる。この際に、廃棄物吸引チューブの端が上向きとなるようにチューブクリップにより止めておけば、廃棄物吸引チューブの端から液状廃棄物が床に垂れ落ちることを防止することができる。
【００１８】
ここで、「チューブクリップ」は、第１の挟持片及び第２の挟持片が開放部を互いに逆向きとして背合わせに接合されたもの、第１の挟持片及び第２の挟持片が開放部を互いに同じ向きとして並べて接合されたものなどを使用することができる。
【００１９】
本発明に係る吸引ボトルの第４の構成は、前記第１又は２の構成に於いて、前記ディスポーザブル型の蓋体の側面に、前記廃棄物吸引チューブを垂直向きに掛止するチューブクリップを、少なくとも２つ備えていることを特徴とする。
【００２０】
この構成によれば、ディスポーザブル型の吸引ボトルとして使用する場合において、容器本体内の廃棄物収容バッグを交換する作業を行う際、廃棄物吸引チューブを廃棄物収容バッグの廃棄物吸引チューブ接続端部から取り外す必要があるが、廃棄物吸引チューブ接続端部から取り外した廃棄物吸引チューブの端部を一方のチューブクリップによりディスポーザブル型の蓋体の側面に止め、もう一方の廃棄物吸引チューブの端部を他方のチューブクリップによりディスポーザブル型の蓋体の側面に止めて作業を行うことができる。この際に、廃棄物吸引チューブの端が上向きとなるようにチューブクリップにより止めておけば、廃棄物吸引チューブの端から液状廃棄物が床に垂れ落ちることを防止することができる。
【００２１】
本発明に係る吸引ボトルの第５の構成は、前記第１乃至４の何れか一の構成に於いて、前記容器本体の背面に突設された容器壁掛用フック部材を備え、
前記容器本体は、上部は円筒状に形成され、中部から下部にかけては、左右側面が平面状且つ前後側面が円弧面状の両欠円筒状に形成されていることを特徴とする。
【００２２】
この構成によれば、吸引ボトルの容器本体を壁から取り外したり持ち運んだりする際に持ちやすく、作業中に取り落とす事故を抑止することができる。
【発明の効果】
【００２３】
以上のように、本発明によれば、リユース型とディスポーザブル型とで容器本体は共通化したことで、リユース型とディスポーザブル型の双方の蓋体のみを、必要となる可能性のある数だけ購入・備蓄し、容器本体はその半数だけ購入・備蓄しておけばよい。吸引ボトルにおいて、容器本体が最も体積が大きく保管場所の多くとるため、容器本体の備蓄数を半数とすることができることによって、全体の保管場所の容積を大幅に削減することが可能となる。
【００２４】
また、蓋体を容器本体に固定する固定構造を、蓋体が容器本体に対して特定の方向を向いた状態でのみ嵌合固定される形状に形成したことで、容器本体に蓋体を取り付ける際に、誤って反対向きに取り付けるといった作業ミスを防止することができる。
【００２５】
また、上述のチューブクリップを設けることで、容器本体内の廃棄物を捨てて洗浄する作業や、廃棄物収容バッグを交換する作業の際に、廃棄物吸引チューブの端をチューブクリップで止め、廃棄物吸引チューブの端から液状廃棄物が床に垂れ落ちることを防止することができる。
【図面の簡単な説明】
【００２６】
【図１】ディスポーザブル型の蓋体を装着した状態における本発明の実施例１に係る吸引ボトルの外観斜視図である。（ａ）背面側、（ｂ）正面側。
【図２】図１の吸引ボトルの（ａ）正面図及び（ｂ）背面図である。
【図３】図１の吸引ボトルの（ａ）左側面図及び（ｂ）右側面図である。
【図４】図１の吸引ボトルの（ａ）平面図及び（ｂ）底面図である。
【図５】リユース型の蓋体を装着した状態における本発明の実施例１に係る吸引ボトルの外観斜視図である。（ａ）背面側、（ｂ）正面側。
【図６】図５の吸引ボトルの（ａ）正面図及び（ｂ）背面図である。
【図７】図５の吸引ボトルの（ａ）左側面図及び（ｂ）右側面図である。
【図８】図５の吸引ボトルの（ａ）平面図及び（ｂ）底面図である。
【図９】容器本体２単体を表す図である。（ａ）背面側斜視図、（ｂ）正面側斜視図、（ｃ）平面図。
【図１０】図１のディスポーザブル型の蓋体３ａの（ａ）斜視図及び（ｂ）底面図である。
【図１１】図１のディスポーザブル型の蓋体３ａの分解斜視図である。
【図１２】廃棄物収容バッグ３０の斜視図である。
【図１３】廃棄物収容バッグ３０のバッグポート部３１を蓋体３ａに装着した状態における断面図である。
【図１４】廃棄物収容バッグ３０を蓋体３ａに装着した状態を示す斜視図である。
【図１５】図５の蓋体３ｂの（ａ）背面側斜視図、（ｂ）正面側斜視図、及び（ｃ）底面斜視図である。
【図１６】（ａ）図５の蓋体３ｂの分解斜視図、（ｂ）リユースアダプタ４１の底面斜視図である。
【図１７】容器本体２にディスポーザブル型の蓋体３ａを装着した状態においてエア吸引チューブ及び廃棄物吸引チューブを接続した状態の吸引ボトルを表す図である。（ａ）全体図、（ｂ）容器本体２付近の拡大図。
【図１８】容器本体２にリユース型の蓋体３ｂを装着した状態においてエア吸引チューブ及び廃棄物吸引チューブを接続した状態の吸引ボトルを表す図である。（ａ）全体図、（ｂ）容器本体２付近の拡大図。
【図１９】図１９は、リユースアダプタ４１のチューブ巻掛用フック部材４１ｅ及び壁掛用フック部材４１ｆの使用方法を説明する図である。（ａ）壁面に設けられた壁側スライド掛止具７０，（ｂ）壁側スライド掛止具７０に容器本体２のスライド掛止具４を嵌合させた状態，（ｃ）壁側スライド掛止具７０にリユースアダプタ４１の壁掛用フック部材４１ｆを嵌合させた状態，（ｄ）壁面に固定したリユースアダプタ４１に廃棄物吸引チューブ６１を巻掛した状態。
【発明を実施するための形態】
【００２７】
以下、本発明を実施するための形態について、図面を参照しながら説明する。
【実施例１】
【００２８】
図１は、ディスポーザブル型の蓋体を装着した状態における本発明の実施例１に係る吸引ボトルの外観斜視図である。図１（ａ）は背面側、図１（ｂ）正面側である。図２は、図１の吸引ボトルの（ａ）正面図及び（ｂ）背面図である。図３は、図１の吸引ボトルの（ａ）左側面図及び（ｂ）右側面図である。図４は、図１の吸引ボトルの（ａ）平面図及び（ｂ）底面図である。
【００２９】
図５は、リユース型の蓋体を装着した状態における本発明の実施例１に係る吸引ボトルの外観斜視図である。図５（ａ）は背面側、図５（ｂ）正面側である。図６は、図５の吸引ボトルの（ａ）正面図及び（ｂ）背面図である。図７は、図５の吸引ボトルの（ａ）左側面図及び（ｂ）右側面図である。図８は、図５の吸引ボトルの（ａ）平面図及び（ｂ）底面図である。
【００３０】
図１〜図８において、実施例１の吸引ボトル１は、上端部が開口した有底筒状に形成された容器本体２と、容器本体１の上端部に脱着自在に設けられ容器本体１の上端部開口を密閉することが可能な蓋体３ａ，３ｂを備えている。蓋体３ａ（図１〜図４参照）がディスポーザブル型の蓋体、蓋体３ｂ（図５〜図８参照）がリユース型の蓋体であり、両者は容器本体に固定が可能な共通の固定構造（後述）を備えており、容器本体２に対して両者を自由に交換することが可能である。
【００３１】
容器本体２単体を図９に示す。容器本体２は、内部に貯留される液状廃棄物の量が目視できるようにするために、半透明のプラスチックで形成されている。容器本体２は、上端部付近が円筒状に形成され、下端部付近は断面が平行欠円（両欠円）の筒状（両欠円筒状）に形成され、その中央付近において断面が両欠円から円へと滑らかに変化する形状に形成されている。尚、現在市販の吸引ボトルは、医療従事者が吸引物の量や色や状態を確認しやすくする為に、容器本体を透明としたものが殆どである。しかし、透明では容器本体内部の吸引物が丸見えになる為、患者本人だけではなくお見舞いの家族や同室の他の入院患者にも不快感を与えてしまうことが問題であった。そこで、本実施例の吸引ボトル１では、容器本体２を半透明として内容物を見えにくくすると同時に、医療従事者が吸引物の量や色や状態を確認することができるようにもしている。
【００３２】
容器本体２の上部の背面側の外側面には、容器本体２を室内の壁面などに固定するためのスライド掛止具４（容器壁掛用フック部材）が突設されている。スライド掛止具４は、容器本体２の上部の背面側の外側面から突設する２枚の平行な突板４ａ，４ａと、左右の突板４ａ，４ａの外側側辺に架け渡して取り付けられた垂直平板状の掛止平面板４ｂを備えている。左右の突板４ａ，４ａと掛止平面板４ｂとの間には、左右外側に向かって開口するコの字状のスライド溝４ｃが垂直に直線状に形成されている。この掛止平面板４ｂを壁に設けられる壁側スライド掛止具７０（図１９参照）にスライド嵌合させることにより、容器本体２を壁面に掛止することができる。また、掛止平面板４ｂの中央部よりやや上部に、壁に設けられた掛ピンにも掛止できるように掛止孔４ｄが形成されている。
【００３３】
容器本体２の上縁部には、蓋体３ａ，３ｂを嵌合固定するための固定構造が形成されている。この固定構造は、容器本体２の上端部に形成された、外側面が段差状に縮径した縮径縁部５と、縮径縁部５の左右の互いに向かい合った位置の外側面に形成されたフック掛止溝６ａ，６ｂとにより構成されている。フック掛止溝６ａ，６ｂは、容器本体２の中心軸に対して完全に対称な位置に形成されているのではなく、若干軸対称位置からずれた位置に形成されている。そのため、蓋体３ａ，３ｂは、一つの向き（特定の方向を向いた状態）でしか、このフック掛止溝６ａ，６ｂと嵌合することはできず、これにより容器本体２に蓋体３ａ，３ｂを取り付ける際に、誤って蓋体３ａ，３ｂを反対向きに取り付けるといった作業ミスを防止することができる。
【００３４】
また、容器本体２の下部は、左右面が平行平板で前後面が円弧板状の両欠円筒状に形成されている。これにより、単純な円筒形の場合に比べ、この両欠円筒状の部分は掴んで持つのが容易であり、吸引ボトル１の容器本体２を壁から取り外したり持ち運んだりする作業中に、容器本体２を誤って取り落とす事故を抑止することができる。特に、左右の平板間の間隔が６０〜８０ｍｍとするのが好適である。平均的な大人の手の大きさの場合に、最も持ちやすいからである。
【００３５】
図１０，図１１にディスポーザブル型の蓋体３ａ単体を示す。図１０は、図１の蓋体３ａの（ａ）斜視図及び（ｂ）底面図である。図１１は、図１の蓋体３ａの分解斜視図である。
【００３６】
ディスポーザブル型の蓋体３ａは、中空円筒状の冠着部１０と、ヒンジ式に揺動自在に往復動し冠着部１０の上端を開閉蓋するヒンジ蓋部１１とを備えている。また、ヒンジ蓋部１１には、廃棄物収容バッグ３０のバッグポート部３１が脱着自在に挟着されている（図１，図１３）。
【００３７】
冠着部１０の外側面は、上半部１０ｂが下半部１０ａに対し段差状に縮径した２段円筒状に形成されている。冠着部１０の右側の外側面には、ヒンジ蓋部１１を枢着するためのヒンジベース１２が突設されている。ヒンジベース１２は左右平行な２枚の平板状部材で構成されており、左右外向きの側面には、短円柱状のヒンジ軸１２ａが突出形成されている（図１１参照）。
【００３８】
一方、ヒンジ蓋部１１は、右側側面にヒンジ受部１３が突出形成されている。ヒンジ受部１３は、ヒンジ蓋部１１の上面円板１１ａと面一に外側に突出して延設された矩形板状の上板部１３ａと、上板部１３ａの両側辺から下向き垂直に延設された平板状の側板部１３ｂ，１３ｂ（図１０（ｂ））と、上板部１３ａの外端辺から下向き垂直に延設された平板状のストッパ板１３ｃ（図１０（ｂ））により構成されている。両側の側板部１３ｂ，１３ｂには、ヒンジ軸１２ａ，１２ａが嵌合する軸受孔１３ｄ，１３ｄが貫設されている。これにより、ヒンジ蓋部１１は、軸受孔１３ｄ，１３ｄを中心に回動して冠着部１０の上端を開閉蓋する。また、ヒンジ蓋部１１が一定の角度だけ開くと、ストッパ板１３ｃの下端辺が冠着部１０の側面に突設されたストッパ片１４（図１（ａ），図３（ｂ）参照）に当たり、これによりヒンジ蓋部１１の回動範囲が規制される。
【００３９】
冠着部１０の正面側には、廃棄物収容バッグ３０のバッグポート部３１を挟着するためのポート嵌合部１５が形成されている。ポート嵌合部１５は、冠着部１０の上端縁に形成された半円形状の凹み（廃棄物吸引チューブ接続端部挿通部）と、その凹み周囲の冠着部１０側面に、バッグポート部３１と嵌合可能な形状に突出形成されたソケット部１５ｂとから構成されている。
【００４０】
ポート嵌合部１５のソケット部１５ｂ下側の冠着部１０の下半部１０ａの外側面には、蓋体３ａの容器本体２への取り付け向きを示すマーカ１６が突設されている。マーカ１６は、冠着部１０外側面に沿って垂直向きの半円柱状に突出形成されている。なお、図１〜図９では図示を省略しているが、容器本体２の外側面には、容器本体２内の内容物の量の目安となる目盛りと、マーカ１６の位置あわせのためのマーク（図１７（ｂ），図１８（ｂ）における目盛りの上方（容器本体２の上縁付近）に印刷された黒点）とが印刷されている（図１７，図１８参照）。
【００４１】
冠着部１０の中心軸に対してマーカ１６から約４５度離れた位置のマーカ１６の左右側には、廃棄物吸引チューブを垂直向きに掛止するためのチューブクリップ１７ａ，１７ｂが突設されている。チューブクリップ１７ａ，１７ｂは、Ｕ字状に弯曲された溝板状部材を備え、この溝板状部材は溝軸が垂直向きとなるように、冠着部１０の下半部１０ａ外側面に着設されている。
【００４２】
冠着部１０の背面側には、容器本体２の内部のエアを吸引するエア吸引チューブを接続するためのエア吸引口１８が貫通形成されている。エア吸引口１８は、冠着部１０の上半部１０ｂの側板を貫通し、さらに冠着部１０の上半部１０ｂの外側面から円筒状に突出した形状に形成されている。このエア吸引口１８には、外端からエア吸引チューブ接続継手１９が挿着されている。エア吸引チューブ接続継手１９は、エア吸引チューブとエア吸引口１８とを接続するための管継手である。エア吸引チューブ接続継手１９は、垂直に曲折した折管状に形成されており（図１（ｂ），図３，図１１）、エア吸引チューブに挿入する側の端のエア吸引チューブ接続端部１９ａは、先細りの筒状に形成されていると共に、外側面にエア吸引チューブが容易に抜脱しないようにするための返しとして機能する傘状の突条が３段に形成されている。また、エア吸引口１８に挿入する側の端の嵌入部１９ｂには、エア漏れ防止のため、外側面に２つのＯリング２０ａ，２０ｂが環装され（図１１）、嵌入部１９ｂの基端には、エア吸引口１８への挿入深さを規制するためのフランジ１９ｃが形成されている。
【００４３】
冠着部１０の左側面の上半部１０ｂ外側面には、ヒンジ蓋部１１の係留鈎部２２を掛止するための掛止片２１が突出形成されている（図１１）。
【００４４】
また、ヒンジ蓋部１１の左側面には、前記掛止片２１に係合する係留鈎部２２が配設されている（図１０）。係留鈎部２２はバネによって付勢されたフックであり（図１１参照）、中央部付近がヒンジ蓋部１１の左側面に軸着され、上部がスプリング２２ａによってヒンジ蓋部１１左側面から離れる方向に付勢されている。従って、係留鈎部２２は中央の回転軸を中心として下端側がヒンジ蓋部１１の内側向きに付勢されている。係留鈎部２２の下端側が掛止片２１と係合し、ヒンジ蓋部１１の左端を冠着部１０の左上端に掛止する。
【００４５】
冠着部１０の内側面は、中央部に段差状に縮径した段差部２３が形成されている（図１１）。この段差部２３の下向き底面には、円環状のパッキン溝２３ａ（図１４参照）が形成されており、このパッキン溝にパッキン２４が嵌着されている（図１０（ｂ），図１１）。容器本体２の上端開口部に蓋体３ａを嵌め込んだ際に、容器本体２の上端縁がこのパッキン２４に密着し、これにより気密性が保たれる。パッキン２４の下端内周面には、３カ所に逆付防止用ミミ２４ａ，２４ｂ，２４ｃ（図１０（ｂ）参照）が突出形成されており、パッキン溝２３ａのこれら逆付防止用ミミ２４ａ，２４ｂ，２４ｃに対応する位置に切り欠きが形成されている。この逆付防止用ミミ２４ａ，２４ｂ，２４ｃを設けたことにより、パッキン２４を誤って上下逆向きに取り付けて気密性が低下するといった製造上のミスを未然に防止することができる。
【００４６】
また、ヒンジ蓋部１１の上面円板１１ａの裏面にも同様のパッキン溝（図示せず）が形成されており、このパッキン溝にパッキン２６（図１１参照）が嵌着されている。ヒンジ蓋部１１で冠着部１０上端開口を閉蓋した際に、パッキン２６がヒンジ蓋部１１の上端縁に密着して、これにより気密性が保たれる。また、高い気密性を得るため、冠着部１０の上端縁には、円周中央線に沿って断面三角状の突条１０ｃ（図１１参照）が設けられている。ヒンジ蓋部１１で冠着部１０上端開口を閉蓋した際に、この突条１０ｃがパッキン２６に食い込んで気密性が高められる。
【００４７】
冠着部１０の内側面の下端には、前述した容器本体２上縁のフック掛止溝６ａ，６ｂに嵌合するフック突片２５ａ，２５ｂ（図１０（ｂ）参照）が突出形成されている。２つのフック突片２５ａ，２５ｂは、蓋体３ａの円筒中心軸に対して軸対称位置からずれた場所に位置しており、前述のフック掛止溝６ａ，６ｂに対応する位置に形成されている。これにより、蓋体３ａは、特定の方向を向いた状態でしか、フック掛止溝６ａ，６ｂと嵌合することはできず、これにより容器本体２に蓋体３ａを取り付ける際に、誤って蓋体３ａを前後反対向きに取り付けるといった作業ミスを防止することができる。
【００４８】
図１２は、廃棄物収容バッグ３０の斜視図である。廃棄物収容バッグ３０は、バッグポート部３１と袋体部３２とからなる。廃棄物収容バッグ３０は硬質樹脂製であり、袋体部３２は撓曲自在な半透明の軟質樹脂製である。半透明としたのは、袋体部３２内にどの程度液状廃棄物が溜まっているかを、外部から容易に視認できるようにするためである。
【００４９】
バッグポート部３１は、袋体部３２の上端に取り付けられており、バッグポート部３１を通して袋体部３２へ液状廃棄物が流入する。袋体部３２は、バッグポート部３１以外においては外界と通じていない。
【００５０】
バッグポート部３１は、ベース部３３、把手部３４、廃棄物吸引管部３５、及びキャップ部３６を備えている。
【００５１】
ベース部３３は、上部に水平天板３３ａを有し、水平天板３３ａの中央部にエア抜き孔３３ｂが貫設されている。水平天板３３ａは、平面視で左右に細長い眼形（菱形の上下頂点を円弧状に面取りした形状）をなし、その長軸方向の一端に帯状板が延設され、その帯状板の端部が垂直上方に起立して曲折され、起立した帯状板の上端部が半円弧状に形成されている。この帯状板の起立した部分が内フランジ３３ｃとなっている。また水平天板３３ａの中央部下面には、眼形短柱状の接着部３３ｄ（図１３参照）が形成されている。袋体部３２の上端は、この接着部３３ｄに気密に接着されている。エア抜き孔３３ｂは接着部３３ｄ中央を垂直に貫通して袋体部３２の袋内に連通しており、エア抜き孔３３ｂの袋体部３２袋内側出口には、空気のみを通し液状廃棄物を通さないフィルタ３３ｅ（図１３参照）が設けられている。
【００５２】
把手部３４はベース部３３の水平天板３３ａの上面に突出形成されている。把手部３４は垂直に立てられた板状部材で形成されており、中央に把持部となる開口部が貫通形成されている。
【００５３】
廃棄物吸引管部３５は、Ｌ字状に曲折した管状部材で構成されており、基端側は水平天板３３ａの上面に垂直に連結し、Ｌ字状に水平に折れた先端側の管は内フランジ３３ｃを連結貫通し、さらにその先端側は先細りに形成されている。この先端側の先細り部分が、廃棄物吸引チューブを接続する廃棄物吸引チューブ接続端部３５ａとなっている。廃棄物吸引チューブ接続端部３５ａの先端には廃棄物吸引口が開口している。また、内フランジ３３ｃよりも先端側で且つ廃棄物吸引チューブ接続端部３５ａの基端側には、垂直板状の外フランジ３５ｂが形成されている。外フランジ３５ｂと内フランジ３３ｃの間隙の間隔は、ちょうど冠着部１０の上半部１０ｂの壁厚と略同一とされている。そして、この間隙部分にシリコンゴム製のパッキン３７が冠着されている。廃棄物収容バッグ３０を蓋体３ａに挿着する際に、この外フランジ３５ｂをポート嵌合部１５（図１０参照）に嵌め込み、外フランジ３５ｂと内フランジ３３ｃで冠着部１０の上縁壁を挟み込むことにより、廃棄物収容バッグ３０が蓋体３ａに位置決めされ固定される。また、パッキン３７によって気密性が保たれる。また、廃棄物吸引管部３５の基端側は、水平天板３３ａ及びその下部の接着部３３ｄを貫通して袋体部３２の袋内に連通している。
【００５４】
尚、使用者がエア吸引チューブ接続継手１９と廃棄物吸引チューブ接続端部３５ａを取り間違えてチューブを接続することを防止するため、廃棄物吸引チューブ接続端部３５ａの色は、エア吸引チューブ接続継手１９とは別の色とされている。また、ディスポーザブル型とリユース型（後述）とで、廃棄物吸引チューブ接続端部の色は統一されている。
【００５５】
廃棄物吸引管部３５の基端は、水平天板３３ａの底面から下方に向けて突出し、開口している。その基端開口部には、逆止弁３５ｃが設けられており、袋体部３２内に吸引された液状廃棄物が廃棄物吸引管部３５へ逆流しないようにされている。
【００５６】
キャップ部３６は、廃棄物吸引チューブ接続端部３５ａに嵌着可能な形状に形成されたキャップである。キャップ部３６は、撓曲自在なキャップアーム３６ａにより、外フランジ３５ｂの上端に連結されている。未使用時や持ち運び時にはこのキャップ部３６を廃棄物吸引チューブ接続端部３５ａに嵌着しておくことで、バッグ内の内容物が廃棄物吸引チューブ接続端部３５ａから飛び出すことが防止される。
【００５７】
図１３は、廃棄物収容バッグ３０のバッグポート部３１を蓋体３ａに装着した状態における断面図、図１４は、廃棄物収容バッグ３０を蓋体３ａに装着した状態を示す斜視図である。なお、図１３は、蓋体３ａのヒンジ蓋部１１を閉蓋した状態を示しており、図１４は、蓋部１１を開蓋した状態を示している。図１３及び図１４において、図１〜図１２の各部分に対応する部分には同符号を付している。
【００５８】
廃棄物収容バッグ３０を脱着する際には、図１４に示すように蓋体３ａの係留鈎部２２を外してヒンジ蓋部１１を開蓋する。装着の際には、廃棄物収容バッグ３０の外フランジ３５ｂをポート嵌合部１５に嵌め込み、その後ヒンジ蓋部１１を閉蓋し、係留鈎部２２を冠着部１０の掛止片２１に係合させる。これにより容器本体２内は密閉された状態となる。その後、エア吸引チューブ接続継手１９をエア吸引チューブ６０（図１７参照）によって、室内に備え付けのアウトレット６２や真空ポンプと接続する。また、廃棄物吸引チューブ接続端部３５ａに廃棄物吸引チューブ６１（図１７参照）を接続する。エア吸引チューブから容器本体２内のエアを吸引すると、容器本体２内は負圧となる。容器本体２内と廃棄物収容バッグ３０内は、エア抜き孔３３ｂ及びフィルタ３３ｅを介して連通しているため、廃棄物収容バッグ３０内も負圧となり、これによりエア吸引チューブ６１から液状廃棄物を吸引することができる。
【００５９】
図１５，図１６にリユース型の蓋体３ｂ単体を示す。図１５は、図５の蓋体３ｂの（ａ）背面側斜視図、（ｂ）正面側斜視図、及び（ｃ）底面斜視図である。図１２は、（ａ）図５の蓋体３ｂの分解斜視図、（ｂ）リユースアダプタ４１の底面斜視図である。
【００６０】
蓋体３ｂは、冠着部４０、リユースアダプタ４１、廃棄物吸引チューブ接続継手４２、パッキン付廃棄物排出口部４３、及びフロート弁部４４を備えている。
【００６１】
冠着部４０は、蓋本体となる部品であり、上端部が天板で閉塞された短円筒状に形成され、その円筒部の径は、容器本体２の上端開口部に外側から嵌合可能な径に形成されている。冠着部４０の天板の中心には、円形のエア吸引ポート装着孔４０ａが貫通形成されている（図１６（ａ））。また、冠着部４０の天板の中心よりも正面側に偏倚した位置には、円形の廃棄物吸引ポート装着孔４０ｂが貫通形成されている（図１６（ａ））。エア吸引ポート装着孔４０ａ及び廃棄物吸引ポート装着孔４０ｂによって、リユースアダプタ４１の装着部が構成されている。
【００６２】
冠着部４０の天板は、中央部に円形の盆地状の凹み（盆凹部４０ｃ）が形成されており、エア吸引ポート装着孔４０ａ周囲から廃棄物吸引ポート装着孔４０ｂ周囲にかけての部分に台地状に隆起した台座部４０ｄが形成されている。台座部４０ｄの上面は水平とされ、冠着部４０の天板の周囲の高さよりも、リユースアダプタ４１のベース基板４１ａ（後述）の厚さ程度だけ低い高さとされている。
【００６３】
冠着部４０の外側面には、蓋体３ｂの容器本体２への取り付け向きを示すマーカ４５が突設されている（図１５（ｂ））。マーカ４５は、冠着部４０外側面に沿って垂直向きの半円柱状に突出形成されている。
【００６４】
また、冠着部４０の内側面の下端には、蓋体３ａのフック突片２５ａ，２５ｂと同様のフック突片４６ａ，４６ｂが突出形成されている（図１５（ｃ））。２つのフック突片４６ａ，４６ｂは、蓋体３ｂの円筒中心軸に対して軸対称位置からずれた場所に位置しており、前述のフック掛止溝６ａ，６ｂに対応する位置に形成されている。これにより、蓋体３ｂは、特定の方向を向いた状態でしか、フック掛止溝６ａ，６ｂと嵌合することはできず、これにより容器本体２に蓋体３ｂを取り付ける際に、誤って蓋体３ｂを反対向きに取り付けるといった作業ミスを防止することができる。
【００６５】
また、冠着部４０の天板底面には、その周辺に沿って、パッキン付廃棄物排出口部４３が嵌合するパッキン溝が円環状に形成されており、パッキン付廃棄物排出口部４３はこのパッキン溝に嵌合することで天板底面に装着固定される（図１５（ｃ））。
【００６６】
リユースアダプタ４１は、エア吸引ポート及び廃棄物吸引ポートを構成する部品であり、冠着部４０の天板上に装着される。リユースアダプタ４１は、縦長の平板状のベース基板４１ａを備え、このベース基板４１ａの中央部にエア吸引ポート部４１ｂが基板を貫いて設けられている。
【００６７】
エア吸引ポート部４１ｂは、上端が閉塞され下端が開口する垂直円筒状の垂直管部がベース基板４１ａの上下に突出するように形成され、ベース基板４１ａの上面から突き出た垂直管部の背面側の側面に、斜め上方に向けて突出してエア吸引チューブ接続端部４１ｃが突設されている。このエア吸引チューブ接続端部４１ｃは、エア吸引チューブを接続するためのホース・チューブ接続端部（管継手）であり、先端にエア吸引口が開口している。エア吸引チューブ接続端部４１ｃは先細りの中空管状であり、垂直管部の管内に連通している。また、エア吸引チューブ接続端部４１ｃは、先細りの筒状に形成されていると共に、外側面にはエア吸引チューブが容易に抜脱しないようにするための返しとして機能する傘状の突条が３段に形成されている。また、エア吸引ポート部４１ｂの垂直管部の下半部は、ベース基板４１ａの下面から突出しており、その下端付近の外側面に環状のＯリング溝が刻設され、該Ｏリング溝にＯリング４７が嵌着されている（図１６（ｂ））。この垂直管部の下半部は、ベース基板４１ａ中央のエア吸引ポート装着孔４０ａに挿入され、エア吸引チューブ接続端部４１ｃと容器本体２内部とが連通される。
【００６８】
ベース基板４１ａの中央部から正面側に偏倚した位置には、廃棄物吸引管ソケット４１ｄが基板を貫いて設けられている。廃棄物吸引管ソケット４１ｄは、上下に貫通した垂直円筒状に形成されており、先端に廃棄物吸引口が開口している。廃棄物吸引管ソケット４１ｄの上部はベース基板４１ａの上面から突出し、廃棄物吸引管ソケット４１ｄの下部はベース基板４１ａの底面から突出している。この廃棄物吸引管ソケット４１ｄの下部の下端部付近の外側面には、環状のＯリング溝が刻設され、該Ｏリング溝にＯリング４８が嵌着されている（図１６（ｂ））。この廃棄物吸引管ソケット４１ｄの下部は、ベース基板４１ａの廃棄物吸引ポート装着孔４０ｂに挿入される。
【００６９】
ベース基板４１ａ上面の、エア吸引ポート部４１ｂと廃棄物吸引管ソケット４１ｄとの間には、チューブ巻掛用フック部材４１ｅが設けられている。チューブ巻掛用フック部材４１ｅは、エア吸引ポート部４１ｂの中心軸と廃棄物吸引管ソケット４１ｄの中心軸とを結ぶ平面に対して垂直な向きに配設された板状部材で構成され、ベース基板４１ａ上面から垂直に立設されている。チューブ巻掛用フック部材４１ｅの上端部は、中央に向かって４５度程度に曲折されており、円弧板状に形成されている。
【００７０】
ベース基板４１ａ下面の背後側に偏倚した位置には、Ｌ字板状の壁掛用フック部材４１ｆ（リユースアダプタ壁掛用フック部材）が下方に向けて突設されている（図１６（ａ））。壁掛用フック部材４１ｆは、冠着部４０天板の盆凹部４０ｃに嵌め込まれる。この壁掛用フック部材４１ｆにより、ベース基板４１ａに対するリユースアダプタ４１の位置決めをし易くなる。
【００７１】
なお、実際に吸引ボトル１を使用する際に、容器本体２内に液状廃棄物が溜まると、容器本体２の内容物を捨てて容器本体２や蓋体３ｂを洗浄する必要が生じる。チューブ巻掛用フック部材４１ｅ及び壁掛用フック部材４１ｆは、その際に、リユースアダプタ４１を蓋体３ｂの本体（冠着部４０）から取り外して、リユースアダプタ４１を壁に掛け、さらに廃棄物吸引口４２ｂに接続された廃棄物吸引チューブ６１を巻き掛けておくために設けられている。具体的なチューブ巻掛用フック部材４１ｅ及び壁掛用フック部材４１ｆの使用方法については後述する。
【００７２】
廃棄物吸引チューブ接続継手４２は、廃棄物吸引チューブを接続するための管継手である。廃棄物吸引チューブ接続継手４２は、上端部が盲端で下端部が開口する垂直管部４２ａと、垂直管部４２ａの上端付近の側面に水平に突出形成された廃棄物吸引チューブ接続端部４２ｂとを備えている。垂直管部４２ａは、リユースアダプタ４１の廃棄物吸引管ソケット４１ｄに差し込まれる部分である。垂直管部４２ａの中央部には、差し込みの深さを規制するフランジ４２ｃが形成されており、このフランジ４２ｃより下側の垂直管部４２ａの外側面には、２つのＯリング溝が刻設され、各Ｏリング溝にＯリング４９，５０が環装されている（図１６（ａ））。これにより、垂直管部４２ａを廃棄物吸引管ソケット４１ｄに差し込んだ際に気密性が保持される。廃棄物吸引チューブ接続端部４２ｂは、廃棄物吸引チューブ６１が接続される部分である（図１８参照）。廃棄物吸引チューブ接続端部４２ｂは、先細りの中空管状であり、垂直管部４２ａの管内に連通している。また、廃棄物吸引チューブ接続端部４２ｂは、先細りの筒状に形成されていると共に、外側面には廃棄物吸引チューブ６１が容易に抜脱しないようにするための返しとして機能する傘状の突条が３段に形成されている。
【００７３】
パッキン付廃棄物排出口部４３は、全体がゴムにより一体成型されており、円環状のパッキン部４３ａと、パッキン部４３ａの管内に連設された有底短円筒状のキャップ部４３ｂと、キャップ部４３ｂの底面に連設されたエルボ管状の排出チューブ部４３ｃとから構成されている（図１６（ａ），図１５（ｃ））。パッキン部４３ａは、上述した通り、冠着部４０の天板底面のパッキン溝に嵌合固定され、冠着部４０を容器本体２の上端開口に嵌着した際に、パッキン部４３ａが容器本体２の上端縁に密着して、これにより気密性が保たれる。キャップ部４３ｂは、丁度、冠着部４０の天板下面の廃棄物吸引ポート装着孔４０ｂの真下に位置する。このキャップ部４３ｂは、廃棄物吸引ポート装着孔４０ｂの下側出口に密嵌し、廃棄物吸引チューブ接続継手４２から流入する液状廃棄物を排出チューブ部４３ｃへ漏れなく導くために設けられている。排出チューブ部４３ｃは、９０度程度にエルボ状に弯曲した管であり、上端がキャップ部４３の筒内に連通し下端が横方向に向かって開口している。蓋体３ｂを容器本体２に装着した状態では、排出チューブ部４３ｃの下端出口は、容器本体２の内壁に向いた状態となる。これは、吸入される液状廃棄物が直接フロート弁部４４（後述）に吹き当たり、エア吸引チューブへ液状廃棄物が吸引されることを防止するために設けられている。
【００７４】
なお、本実施例においては、パッキン部４３ａとキャップ部４３ｂ及び排出チューブ部４３ｃとが一体成型されている。実際に吸引ボトル１を使用する場合、これらの部分を冠着部４０から取り外して洗浄する必要が生じるが、その際に、これらの部分が一体成型されていると取り外しや洗浄作業が簡単となる。また、パッキン部４３ａとキャップ部４３ｂ及び排出チューブ部４３ｃとが個別に成型されていた場合には、取り外した際に、何れか一方の部品（特に、キャップ部４３ｂ及び排出チューブ部４３ｃ）を紛失する場合が多いため、一体成型することで部品の紛失防止の効果もある。
【００７５】
フロート弁部４４は、装着ソケット５１、フロートカバー５２、フロート５３、及びフトート受け５４から構成されている（図１６（ａ）参照）。装着ソケット５１は、冠着部４０の天板下面のエア吸引ポート装着孔４０ａ内にインサート成形されている（尚、図１６（ａ）では説明の便宜上、装着ソケット５１をエア吸引ポート装着孔４０ａ内から切り離して表示している）。装着ソケット５１はフロートカバー５２を冠着部４０の天板下面に装着するソケットである。また、装着ソケット５１の管内には、前記エア吸引ポート部４１ｂが挿入され、Ｏリング４７により気密性が維持される。フロートカバー５２は、装着ソケット５１の下端に装着される。装着ソケット５１は有底筒状に形成され、筒側面の中心軸に対し３回対称な位置に、縦長の帯直円状の開口部が形成され、筒底面にも帯直円状の開口部が形成されている。これら開口部を通して、容器本体２内の空気がエア吸引チューブへ吸引される。フロート５３は、フロートカバー５２の筒内に漂遊自在に設けられた中空浮体である。フロート５３の外殻は回転帯直円体状に形成されており、その径はフロートカバー５２の筒内径よりも小さめとされている。フトート受け５４は、装着ソケット５１の下端出口に密嵌されたゴム製の部材である。フトート受け５４は、中央に上下に貫通する開口が形成されている。またフトート受け５４の下端側は、下向き湾曲面状に形成されており、フロート５３がこの湾曲面に嵌ると中央の開口が閉塞される構造とされている。容器本体２内に液状廃棄物が満杯に溜まると、浮力によってフロート５３が浮上してフトート受け５４の下端の湾曲面に嵌り中央の開口が閉塞される。これにより、吸引が停止され、液状廃棄物がエア吸引チューブに吸い込まれることが防止される。
【００７６】
以上の通り、蓋体３ａのフック突片２５ａ，２５ｂと、蓋体３ｂのフック突片４６ａ，４６ｂは、ともに容器本体２のフック掛止溝６ａ，６ｂに係合することが可能であり、共通の容器本体２に対してディスポーザブル型の蓋体３ａとリユース型の蓋体３ｂとを自由に交換して使用することができる。
【００７７】
次に、蓋体３ａ，３ｂにエア吸引チューブ及び廃棄物吸引チューブを接続した状態について説明する。
【００７８】
図１７は、容器本体２にディスポーザブル型の蓋体３ａを装着した状態においてエア吸引チューブ及び廃棄物吸引チューブを接続した状態の吸引ボトルを表す図である。図１７（ａ）は全体図、図１７（ｂ）は容器本体２付近の拡大図である。
【００７９】
容器本体２は、スライド掛止具４により壁面に設けた壁側スライド掛止具７０（図１９（ｂ）参照）に掛止されている。蓋体３ａの背面のエア吸引チューブ接続継手１９にはエア吸引チューブ６０の先端を接続し、エア吸引チューブ６０の基端は吸引圧力調整器６３（レギュレータ）を介して壁面に設置されたアウトレット６２（配管端末接続口）に接続されている。尚、吸引圧力調整器６３はアウトレット６２からの吸引圧を適宜調節するために設けられている。
【００８０】
蓋体３ａに装着された廃棄物収容バッグ３０の廃棄物吸引チューブ接続端部３５ａには、廃棄物吸引チューブ６１の基端を接続する。そして、廃棄物吸引チューブ６１の先端は、未使用状態においてはチューブクリップ１７ａ，１７ｂの何れか一方に係止しておく。このとき、図１７に示した様に、廃棄物吸引チューブ６１の先端部が上向きとなるように係止する。これにより、廃棄物吸引チューブ６１内に残留している液状廃棄物が床面に垂れ落ちることを防止できる。
【００８１】
廃棄物収容バッグ３０を交換する際には、廃棄物吸引チューブ６１の基端を廃棄物収容バッグ３０の廃棄物吸引チューブ接続端部３５ａから抜脱する必要があるが、その際には抜脱した廃棄物吸引チューブ６１の基端を、チューブクリップ１７ａ，１７ｂの空いた側に係止しておく。このとき、先端と同様に、廃棄物吸引チューブ６１の基端部が上向きとなるように係止する。これにより、廃棄物吸引チューブ６１内に残留している液状廃棄物が床面に垂れ落ちることを防止できるとともに、廃棄物収容バッグ３０の交換作業が容易となる。
【００８２】
図１８は、容器本体２にリユース型の蓋体３ｂを装着した状態においてエア吸引チューブ及び廃棄物吸引チューブを接続した状態の吸引ボトルを表す図である。図１８（ａ）は全体図、図１８（ｂ）は容器本体２付近の拡大図である。
【００８３】
容器本体２は、スライド掛止具４により壁面に設けた壁側スライド掛止具７０（図１９（ｂ）参照）に掛止されている。蓋体３ｂの上面中央部のエア吸引チューブ接続端部４１ｃにはエア吸引チューブ６０の先端を接続し、エア吸引チューブ６０の基端は吸引圧力調整器６３を介して壁面に設置されたアウトレット６２に接続されている。
【００８４】
蓋体３ｂの廃棄物吸引チューブ接続端部４２ｂに、廃棄物吸引チューブ６１の基端を接続する。そして、廃棄物吸引チューブ６１の先端は、未使用状態においては、図１８に示した様に、廃棄物吸引チューブ６１を緩く２巻きに捲いた状態とし、チューブクリップ６４により廃棄物吸引チューブ６１の先端付近を廃棄物吸引チューブ６１の中央付近に係止し、この捲いた廃棄物吸引チューブ６１を吸引ボトル１に掛けておく。このとき、図１８に示した様に、廃棄物吸引チューブ６１の先端部が上向きとなるように係止する。これにより、廃棄物吸引チューブ６１内に残留している液状廃棄物が床面に垂れ落ちることを防止できる。
【００８５】
尚、チューブクリップ６４は、廃棄物吸引チューブ６１に着脱可能に取り付けられており、廃棄物吸引チューブ６１を挟持する湾曲した弾性部材からなる第１及び第２の挟持片が背中合わせに接合された構成を有する。
【００８６】
最後に、前述したリユースアダプタ４１のチューブ巻掛用フック部材４１ｅ及び壁掛用フック部材４１ｆの使用方法と機能について説明する。図１９は、リユースアダプタ４１の使用方法を説明する図である。図１９（ａ）は、壁面に設けられた壁側スライド掛止具７０を示す図、図１９（ｂ）は、壁側スライド掛止具７０に容器本体２のスライド掛止具４を嵌合させた状態を示す図、図１９（ｃ）は、壁側スライド掛止具７０にリユースアダプタ４１の壁掛用フック部材４１ｆを嵌合させた状態を示す図、図１９（ｄ）は、壁面に固定したリユースアダプタ４１に廃棄物吸引チューブ６１を巻掛した状態を示す図である。
【００８７】
壁側スライド掛止具７０は、図１９（ａ）に示すように、室内の壁面にビスなどにより固定設置されている。吸引ボトル１を使用する際には、図１９（ｂ）に示すように、容器本体２の背面に設けられたスライド掛止具４を、壁面に設けられた壁側スライド掛止具７０に嵌合させることによって、吸引ボトル１を壁面に固定する。
【００８８】
容器本体２にリユース型の蓋体３ｂを取り付けて吸引ボトル１を使用する場合には、容器本体２内に液状廃棄物が溜まると、容器本体２の内容物を捨てて容器本体２や蓋体３ｂを洗浄する必要が生じる。
【００８９】
かかる場合、まずリユースアダプタ４１を蓋体３ｂの本体（冠着部４０）から引き抜いて取り外す。リユースアダプタ４１は、図１６に示した通り、エア吸引ポート部４１ｂの下端部（Ｏリング４７が嵌着された部分）を蓋体３ｂの本体（冠着部４０）のエア吸引ポート装着孔４０ａに密嵌されておリユースアダプタ４１を上方に引き抜いて外すことが可能である。
【００９０】
次に、容器本体２を壁側スライド掛止具７０から取り外した後、先に抜脱したリユースアダプタ４１を、図１９（ｃ）に示した様に、壁掛用フック部材４１ｆを壁側スライド掛止具７０に嵌合させることによって、壁面に固定する。この際、チューブ巻掛用フック部材４１ｅは、基部の平板状部分が水平で、先端の曲折した円弧板状の部分が上方に向けて傾斜した状態となる。
【００９１】
そして、図１９（ｄ）に示すように、壁面に固定したリユースアダプタ４１のチューブ巻掛用フック部材４１ｅに、廃棄物吸引チューブ６１を巻掛して、廃棄物吸引チューブ６１の先端は、チューブクリップ６４によって廃棄物吸引チューブ６１の中央付近の何れかに位置に係止する。このとき、図１９（ｄ）に示した様に、廃棄物吸引チューブ６１の先端部が上向きとなるように係止する。これにより、廃棄物吸引チューブ６１内に残留している液状廃棄物が床面に垂れ落ちることを防止できる。
【００９２】
このようにして、リユースアダプタ４１を壁側スライド掛止具７０に掛止し、廃棄物吸引チューブ６１をリユースアダプタ４１に巻掛しておくことで、取り外したリユースアダプタ４１や廃棄物吸引チューブ６１の置き場に困ることなく、取り外した容器本体２を手早く持ち運び、内容物の廃棄、容器の洗浄等の作業を行うことが可能となる。
【符号の説明】
【００９３】
１  吸引ボトル
２  容器本体
３ａ，３ｂ  蓋体
４  スライド掛止具（容器壁掛用フック部材）
４ａ  突板
４ｂ  掛止平面板
４ｃ  スライド溝
４ｄ  掛止孔
５  縮径縁部
６ａ，６ｂ  フック掛止溝
１０  冠着部
１０ａ  下半部
１０ｂ  上半部
１０ｃ  突条
１１  ヒンジ蓋部
１１ａ  上面円板
１２  ヒンジベース
１２ａ  ヒンジ軸
１３  ヒンジ受部
１３ａ  上板部
１３ｃ  ストッパ板
１４  ストッパ片
１５  ポート嵌合部
１５ａ  凹み（廃棄物吸引チューブ接続端部挿通部）
１５ｂ  ソケット部
１６  マーカ
１７ａ，１７ｂ  チューブクリップ
１８  エア吸引口
１９  エア吸引チューブ接続継手
１９ａ  エア吸引チューブ接続端部
１９ｂ  嵌入部
１９ｃ  フランジ
２０ａ，２０ｂ  Ｏリング
２１  掛止片
２２  係留鈎部
２２ａ  スプリング
２２ｂ  枢軸ピン
２２ｃ  ビス
２２ｄ  内部ブロック
２２ｅ  外殻ブロック
２３  段差部
２３ａ  パッキン溝
２４  パッキン
２４ａ，２４ｂ，２４ｃ  逆付防止用ミミ
２５ａ，２５ｂ  フック突片
２６  パッキン
３０  廃棄物収容バッグ
３１  バッグポート部
３２  袋体部
３３  ベース部
３３ａ  水平天板
３３ｂ  エア抜き孔
３３ｃ  内フランジ
３３ｄ  接着部
３３ｅ  フィルタ
３４  把手部
３５  廃棄物吸引管部
３５ａ  廃棄物吸引チューブ接続端部
３５ｂ  外フランジ
３５ｃ  逆止弁
３６  キャップ部
３６ａ  キャップアーム
３７  パッキン
４０  冠着部
４０ａ  エア吸引ポート装着孔
４０ｂ  廃棄物吸引ポート装着孔
４０ｃ  盆凹部
４０ｄ  台座部
４１  リユースアダプタ
４１ａ  ベース基板
４１ｂ  エア吸引ポート部
４１ｃ  エア吸引チューブ接続端部
４１ｄ  廃棄物吸引管ソケット
４１ｅ  チューブ巻掛用フック部材
４１ｆ  壁掛用フック部材
４２  廃棄物吸引チューブ接続継手
４２ａ  垂直管部
４２ｂ  廃棄物吸引チューブ接続端部
４２ｃ  フランジ
４３  パッキン付廃棄物排出口部
４３ａ  パッキン部
４３ｂ  キャップ部
４３ｃ  排出チューブ部
４４  フロート弁部
４５  マーカ
４６ａ，４６ｂ  フック突片
４７，４８，４９，５０  Ｏリング
５１  装着ソケット
５２  フロートカバー
５３  フロート
５４  フトート受け
６０  エア吸引チューブ
６１  廃棄物吸引チューブ
６２  アウトレット（配管端末接続口）
６３  吸引圧力調整器（レギュレータ）
６４  チューブクリップ
７０  スライド掛止具
【図１３】
2015216994.tif 000003
【図１】
2015216994.tif 000004
【図２】
2015216994.tif 000005
【図３】
2015216994.tif 000006
【図４】
2015216994.tif 000007
【図５】
2015216994.tif 000008
【図６】
2015216994.tif 000009
【図７】
2015216994.tif 000010
【図８】
2015216994.tif 000011
【図９】
2015216994.tif 000012
【図１０】
2015216994.tif 000013
【図１１】
2015216994.tif 000014
【図１２】
2015216994.tif 000015
【図１４】
2015216994.tif 000016
【図１５】
2015216994.tif 000017
【図１６】
2015216994.tif 000018
【図１７】
2015216994.tif 000019
【図１８】
2015216994.tif 000020
【図１９】
2015216994.tif 000021
【手続補正書】
【提出日】平成27年7月15日(2015.7.15)
【手続補正１】
【補正対象書類名】特許請求の範囲
【補正対象項目名】全文
【補正方法】変更
【補正の内容】
【特許請求の範囲】
【請求項１】
上端部が開口した有底筒状に形成された、液状廃棄物を収容する容器本体と、
前記容器本体の背面に突設され、壁に固定設置される壁側スライド掛止具と嵌合可能な容器壁掛用フック部材と、
前記容器本体の上端部に脱着自在に設けられ、前記容器本体の上端部開口を密閉することが可能な蓋体と、
前記蓋体に貫通形成されており、容器本体内部のエアを吸引するエア吸引チューブが接続されるエア吸引口と、を備えた、液状廃棄物を吸引し収容するための医療用の吸引ボトルであって、
可撓性の廃棄物吸引チューブと、
前記廃棄物吸引チューブに着脱可能に取り付けられ、前記廃棄物吸引チューブを挟持する湾曲した弾性部材からなる第１及び第２の挟持片が接合されてなるチューブクリップと、を備え、
前記蓋体として、
前記廃棄物吸引チューブが接続される廃棄物吸引口、及び前記エア吸引口が貫通形成された、液状廃棄物を前記容器本体内に直接収容する際に使用されるリユース型の蓋体と、
前記廃棄物吸引チューブが接続される廃棄物吸引口を有する、廃棄物吸引チューブ接続端部が設けられた気密袋状の廃棄物収容バッグが脱着可能に形成されているとともに、前記廃棄物吸引チューブ接続端部が挿通する廃棄物吸引チューブ接続端部挿通部が形設され、かつ前記エア吸引口が貫通形成された、液状廃棄物を前記廃棄物収容バッグ内に収容する際に使用されるディスポーザブル型の蓋体と、の交換可能な２種の蓋体を備え、
前記各蓋体は、前記容器本体に固定が可能な共通の固定構造を備えており、
リユース型の前記蓋体は、
前記容器本体に嵌合固定される冠着部と、
前記冠着部の天板に開口された装着部に着脱自在に取り付けられ、前記廃棄物吸引口及び前記エア吸引口が貫通形成されたリユースアダプタと、
前記リユースアダプタの裏面に突設され、前記壁側スライド掛止具と嵌合可能なリユースアダプタ壁掛用フック部材と、
前記リユースアダプタの表面に突設されたチューブ巻掛用フック部材と、を備え、
前記チューブ巻掛用フック部材は、前記リユースアダプタ壁掛用フック部材を前記壁側スライド掛止具に嵌合した際に、前記廃棄物吸引チューブを巻掛可能な構造であることを特徴とする吸引ボトル。
【請求項２】
ディスポーザブル型の前記蓋体の側面に、前記廃棄物吸引チューブを垂直向きに掛止するチューブクリップを、少なくとも２つ備えていることを特徴とする請求項１記載の医療用吸引ボトル。
【請求項３】
前記固定構造は、前記蓋体が前記容器本体に対して特定の方向を向いた状態でのみ嵌合固定される形状に形成されていることを特徴とする請求項１又は２記載の医療用吸引ボトル。
【請求項４】
前記容器本体は、上部は円筒状に形成され、中部から下部にかけては、左右側面が平面状且つ前後側面が円弧面状の両欠円筒状に形成されていることを特徴とする請求項１乃至３の何れか一記載の医療用吸引ボトル。